(57)【要約】      （修正有）【課題】飲料を中和してそのＰＨ値を８〜９の弱アルカリ性に変えることができるマドラーを提供する。【解決手段】本マドラー２０は、棒状部材の一端に把持部２１を設け、該棒状部材の他端に設けたパワーストーン２２の効果によって、攪拌する水、飲料などの特性を変化させて中和させることができる。該パワーストーンは、液体の水分子を分裂させてｐＨ値を８〜９に変化させる効果を有する。【選択図】図２
0003168727.tif 000002
【実用新案登録請求の範囲】
【請求項１】
かき混ぜ棒本体を備え、
前記かき混ぜ棒本体の所定の位置には、液体分子構造を変える少なくとも一つのエネルギーストーンが設けられていることを特徴とする、かき混ぜ棒エネルギーストーンの構造。
【請求項２】
前記エネルギーストーンは、遠赤外線效果、或いは、マイナスイオン效果、或いは、電解水エネルギー、或いは、鉱石エネルギーをもつエネルギーストーンであることを特徴とする、請求項１に記載のかき混ぜ棒エネルギーストーンの構造。
【請求項３】
前記かき混ぜ棒本体の一端には、手持ち部が設けられていることを特徴とする、請求項１に記載のかき混ぜ棒エネルギーストーンの構造。
【請求項４】
前記かき混ぜ棒本体は、ケース内に収納されることを特徴とする、請求項１に記載のかき混ぜ棒エネルギーストーンの構造。
【考案の詳細な説明】
【技術分野】
【０００１】
本考案はかき混ぜ棒エネルギーストーンに関し、特にエネルギーストーンを飲料に入れてかき混ぜると、その飲料の特性を変えることが可能なかき混ぜ棒エネルギーストーンの構造に関する。
【背景技術】
【０００２】
水やその他の飲料、或いはアルコール類の飲料は、多くの人に好んで飲まれ、中毒になっている人もいる。飲料には、甘さや苦みや渋みがあり、アルコール類の飲料には、アルコール度数があるが、飲料を間違って購入してしまったとき、或いは、思っていたのと実際の味が違った時、どんなに甘くても、どんなに渋くても、どんなにアルコール度数が高くても、それを受け入れて飲むか、あるいはもったいないが捨ててしまうしかない。また、友人との会食で飲み物を大瓶で注文して皆で一緒に飲むとき、各人の味の好みは異なるので個人の好みに合わず、もったいないだけでなく、多くの無形の資源の無駄になる。
【考案の概要】
【考案が解決しようとする課題】
【０００３】
そこで、本考案は、飲料を中和してそのＰＨ値を８〜９の弱アルカリ性に変えることができるかき混ぜ棒エネルギーストーンの構造を提供することを目的とする。
【課題を解決するための手段】
【０００４】
上述の目的を達成するために、本考案によるかき混ぜ棒エネルギーストーンの構造は、使用者がかき混ぜるためのかき混ぜ棒本体を備える。また、前記かき混ぜ棒本体の所定の位置には、液体分子構造を変える少なくとも一つのエネルギーストーンが設けられ、前記エネルギーストーンは、遠赤外線效果、或いは、マイナスイオン效果をもつエネルギーストーンである。使用者が、かき混ぜ棒本体で飲料をかき混ぜると、エネルギーストーンは飲料の液体内で回転し、液体の水分子を分裂させ、そのＰＨ値を６から８〜９の間に変える（この数値は実施例にすぎない）。以上の技術により、一般の飲料或いはアルコール飲料を飲むときに味を変えられないという問題を解決し、かき混ぜ棒本体のエネルギーストーンで飲料の特性を変えるという実用進歩性を達成する。
【０００５】
また、前記エネルギーストーンは、電解水エネルギー或いは鉱石エネルギーをもつエネルギーストーンにすることもできる。その場合も、同様に液体の特性を変えてＰＨ値を中和させるという進歩性を有する。
【０００６】
また、前記かき混ぜ棒本体の一端には手持ち部が設けられ、使用者は前記手持ち部をもつことでかき混ぜ棒本体を操作することができ、利便性を達成することができる。
【図面の簡単な説明】
【０００７】
【図１】本考案の一実施形態を示した斜視図である。
【図２】本考案の一実施形態を示した分解図である。
【図３】本考案の一実施形態を使用した状態を示した説明図である。
【考案を実施するための形態】
【０００８】
図１と図２を参照する。図１と図２は、本考案の一実施形態を示した斜視図及び分解図である。図から分かるように、本考案によるかき混ぜ棒エネルギーストーンの構造は、ケース１０内にかき混ぜ棒本体２０を收納してなる。かき混ぜ棒本体２０の一端には手持ち部２１を設け、かき混ぜ棒本体２０の所定の位置には、液体分子構造を変える少なくとも一つのエネルギーストーン２２を設ける。なお、エネルギーストーン２２は、遠赤外線効果、或いは、マイナスイオン效果、或いは、電解水エネルギー、或いは、鉱石エネルギーをもつエネルギーストーン２２である。
【０００９】
上述の構造をもつ本考案を使用する際の動作について以下に説明を行う。図２と図３を同時に参照する。図２は、本考案の一実施形態を示した分解図であり、図３は、本考案の一実施形態を使用した状態を示した説明図である。図から分かるように、使用者が飲み物の液体３０に対してそのＰＨ値の中和を行いたい場合、かき混ぜ棒本体２０の手持ち部２１を手で握り、エネルギーストーン２２を液体３０内に浸してかき混ぜる。この時、エネルギーストーン２２から発する遠赤外線或いはマイナスイオンは液体３０と中和することによって液体３０の水分子が分裂をおこし、そのＰＨ値が変わる。以上により達せられる効果には以下のものがある。アルコール飲料のアルコールの強さを弱め、コーヒーの苦さを和らげ、お茶の渋さを和らげる（これらの飲料は、実施例にすぎず、本考案はこれらの飲料に限定されるものではない）。
【００１０】
図１から図３の全ての図を参照する。本考案を使用すると、従来の技術と比較し、以下の長所がある。
１、エネルギーストーン２２によって、液体３０内の水分子を分裂させ、その飲料の液体３０のＰＨ値の特性を変える。それにより、アルコール飲料のアルコールの強さを弱め、コーヒーの苦さを和らげ、お茶の渋さを和らげる等の効果がある。
２、手持ち部２１を設けることにより、使用者はかき混ぜ棒本体２０をより操作しやすくなる。
【符号の説明】
【００１１】
１０  ケース
２０  かき混ぜ棒本体
２１  手持ち部
２２  エネルギーストーン
３０  液体
【図１】
0003168727.tif 000003
【図２】
0003168727.tif 000004
【図３】
0003168727.tif 000005
【手続補正書】
【提出日】平成23年4月14日(2011.4.14)
【手続補正１】
【補正対象書類名】実用新案登録請求の範囲
【補正対象項目名】全文
【補正方法】変更
【補正の内容】
【実用新案登録請求の範囲】
【請求項１】
棒状部材の一端に把持部を設け、該棒状部材の他端にパワーストーンを設けたことを特徴とするマドラー。
【請求項２】
前記把持部の該棒状部材側の一端に着脱自在に冠着し、かつ該把持部の該棒状部材側の一端に冠着した状態において該棒状部材と、該棒状部材の一端に設けたパワーストーンとを覆うカバーキャップを設けることを特徴とする請求項１に記載のマドラー。
【手続補正２】
【補正対象書類名】明細書
【補正対象項目名】全文
【補正方法】変更
【補正の内容】
【考案の詳細な説明】
【技術分野】
【０００１】
本考案はマドラーに関し、特にパワーストーンを一端に設けたマドラーに関する。
【背景技術】
【０００２】
水やその他の飲料、或いはアルコール類の飲料は、多くの人に好んで飲まれ、中毒になっている人もいる。飲料には、甘さや苦みや渋みがあり、アルコール類の飲料には、アルコール度数があるが、飲料を間違って購入してしまったとき、或いは、思っていたのと実際の味が違った時、どんなに甘くても、どんなに渋くても、どんなにアルコール度数が高くても、それを受け入れて飲むか、あるいはもったいないが捨ててしまうしかない。また、友人との会食で飲み物を大瓶で注文して皆で一緒に飲むとき、各人の味の好みは異なるので個人の好みに合わず、もったいないだけでなく、多くの無形の資源の無駄になる。
【考案の概要】
【考案が解決しようとする課題】
【０００３】
そこで、本考案は、飲料を中和してｐＨ値を８〜９の弱アルカリ性に変えることのできるマドラーを提供することを課題とする。
【課題を解決するための手段】
【０００４】
請求項１に記載するマドラーは、棒状部材の一端に把持部を設け、該棒状部材の他端にパワーストーンを設けてなる。
【０００５】
前述の構造によるマドラーは、該棒状部材の一端に設けたパワーストーンの効果によって、攪拌する水、飲料などの特性を変化させて中和させることができる。該パワーストーンは、液体の水分子を分裂させてｐＨ値を８〜９に変化させる効果を有し、具体的には、マイナスイオン発生効果、もしくは遠赤外線効果、もしくは電解水エネルギー、もしくは鉱石エネルギーなどを有するパワーストーンである。
【０００６】
請求項４に記載するマドラーは、該把持部の該棒状部材側の一端に着脱自在に冠着し、かつ該把持部の該棒状部材側の一端に冠着した状態において、該棒状部材と、該棒状部材の一端に設けたパワーストーンとを覆うカバーキャップを設ける。
【図面の簡単な説明】
【０００７】
【図１】本考案の一実施形態を示した斜視図である。
【図２】本考案の一実施形態を示した分解図である。
【図３】本考案の一実施形態を使用した状態を示した説明図である。
【考案を実施するための形態】
【０００８】
図１は、この考案によるマドラー２０と、マドラー２０に着脱自在に冠着するカバーキャップ１０の冠着する位置を示した説明図であって、図２はマドラー２０と、マドラー２０から外した状態のカバーキャップ１０とを示した説明図である。図示するように、棒状部材の一端に把持部２１を設け、他端にパワーストーン２２を設けてマドラー２０を構成し、かつ把持部２１の該棒状部材側の一端にカバーキャップ１０を着脱自在に冠着する。カバーキャップ１０は、冠着した状態において、該棒状部材と、該棒状部材に設けたパワーストーン２２とを覆う。
【０００９】
パワーストーン２２は、液体の水分子を分裂させてｐＨ値を８〜９に変化させる効果を有し、具体的には、マイナスイオン発生効果、もしくは遠赤外線効果、もしくは電解水エネルギー、もしくは鉱石エネルギーなどを有する。よって、図３に開示するように、マドラー２０で液体３０を攪拌すると、パワーストーン２２が液体３０内にあって、そのマイナスイオン発生効果、もしくは遠赤外線効果などによって液体３０を中和し、かつ水分子集団を分裂させ、ｐＨ値を変化させる。
このため、例えば液体３０が高いアルコール濃度の酒であれば、アルコール濃度の高さによる口当たりの刺激を緩和し、液体３０がコーヒー、もしくはお茶であれば、苦味、渋みを緩和することができる。
【符号の説明】
【００１０】
１０ カバーキャップ
２０ マドラー
２１ 把持部
２２ パワーストーン
３０ 液体